(57)【特許請求の範囲】
【請求項１】
第１のインク種類のインクを被転写体に転写して形成した転写画像の上に、第２のインク種類のインクを重畳して転写する機能を有さない印刷装置であって、
第１の被転写体に前記第２のインク種類のインクを転写してベタ画像である第１の転写画像を形成した後、前記第１の転写画像の上に前記第１のインク種類のインクを転写して前記第１の転写画像に第２の転写画像が重畳した第１の転写画像体を形成するとともに、前記第１の被転写体とは異なる第２の被転写体に前記第２のインク種類のインクを転写して第３の転写画像を形成した後、前記第３の転写画像の上に前記第１のインク種類のインクを転写して前記第３の転写画像にベタ画像である第４の転写画像が重畳した第２の転写画像体を形成する転写部と、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写部と、
を備えることを特徴とする印刷装置。
【請求項２】
前記第２のインク種類のインク及び、前記第４の転写画像を形成する第１のインク種類のインクは可視光線吸収性を有し、
前記第２の転写画像を形成する第１のインク種類のインクは赤外光線吸収性を有することを特徴とする請求項１に記載の印刷装置。
【請求項３】
前記第１の転写画像は、黒色又は灰黒色のベタの黒色側転写画像であり、
前記第２の転写画像は、秘密情報を含む画像であり、
前記第４の転写画像は、白色又は灰白色のベタの白色側転写画像である
ことを特徴とする請求項２に記載の印刷装置。
【請求項４】
前記第２のインク種類は昇華性インクであり、
前記転写部は、前記第２のインク種類である複数の色の昇華性インクを重畳して転写することにより、前記第１の転写画像及び前記第３の転写画像を形成することを特徴とする請求項１乃至３のいずれか１項に記載の印刷装置。
【請求項５】
第１の被転写体に昇華性インクのインクを転写してベタ画像である第１の転写画像を形成した後、前記第１の転写画像の上に溶融性インクのインクを転写して前記第１の転写画像に第２の転写画像が重畳した第１の転写画像体を形成するとともに、第１の被転写体とは異なる第２の被転写体に昇華性インクのインクを転写して第３の転写画像を形成した後、前記第３の転写画像の上に溶融性インクのインクを転写して前記第３の転写画像にベタ画像である第４の転写画像が重畳した第２の転写画像体を形成する転写部と、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写部と、
を備えることを特徴とする印刷装置。
【請求項６】
前記昇華性インクのインク及び、前記第４の転写画像を形成する前記溶融性インクのインクは可視光線吸収性を有し、
前記第２の転写画像を形成する前記溶融性インクのインクは赤外光線吸収性を有することを特徴とする請求項５に記載の印刷装置。
【請求項７】
前記第１の転写画像は、黒色又は灰黒色のベタの黒色側転写画像であり、
前記第２の転写画像は、秘密情報を含む画像であり、
前記第４の転写画像は、白色又は灰白色のベタの白色側転写画像である
ことを特徴とする請求項６に記載の印刷装置。
【請求項８】
前記転写部は、前記昇華性インクである複数の色のインクを重畳して転写することにより、前記第１の転写画像及び前記第３の転写画像を形成することを特徴とする請求項５乃至７のいずれか１項に記載の印刷装置。
【請求項９】
第１の被転写体に昇華性インクのインクを転写してベタ画像である第１の転写画像を形成した後、前記第１の転写画像の上に溶融性インクのインクを転写して前記第１の転写画像に第２の転写画像が重畳した第１の転写画像体を形成するとともに、第１の被転写体とは異なる第２の被転写体に昇華性インクのインクを転写して第３の転写画像を形成した後、前記第３の転写画像の上に溶融性インクのインクを転写して前記第３の転写画像にベタ画像である第４の転写画像が重畳した第２の転写画像体を形成する転写ステップと、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写ステップと、
を備えることを特徴とする印刷方法。
【請求項１０】
請求項１乃至８のいずれか１項に記載の印刷装置を用いて、各前記転写画像が重畳された被再転写体であるカードを製造するカードの製造方法。
【請求項１１】
カード基体と、
前記カード基体側から、
第１のインク種類のインクにより形成された画像の第１層と、
第２のインク種類のインクにより形成されたベタ画像の第２層と、
第１のインク種類のインクにより形成されたベタ画像の第３層と、
第２のインク種類のインクにより形成された画像の第４層と、
を有し、
前記第２のインク種類のインクは、前記第１のインク種類のインクを被転写体に転写して形成した転写画像の上に重畳して転写することができないインク種類のインクであり、
前記第１層は赤外光線吸収性を有し、前記第２〜４層は可視光線吸収性を有することを特徴とするカード。
【請求項１２】
カード基体と、
前記カード基体側から、
溶融性インクのインクにより形成された画像の第１層と、
昇華性インクのインクにより形成されたベタ画像の第２層と、
溶融性インクのインクにより形成されたベタ画像の第３層と、
昇華性インクのインクにより形成された画像の第４層と、
を有し、
前記第１層は赤外光線吸収性を有し、前記第２〜４層は可視光線吸収性を有することを特徴とするカード。
【発明の詳細な説明】
【技術分野】
【０００１】
本発明は、印刷装置，印刷方法，カードの製造方法，及びカードに係る。
【背景技術】
【０００２】
印刷装置として、インクリボン（インクフィルム）のインクを、サーマルヘッドによって昇華又は溶融させて、転写体（中間転写フィルム）に対し画像を転写形成し、転写体に転写形成した画像を、被再転写体であるカード基体に再度転写印刷させてカードとする再転写方式の印刷装置が知られており、特許文献１に記載されている。
【０００３】
また、赤外光吸収性インクによる目視判読困難な秘密情報としての画像と可視光吸収性インクによる目視判読可能な一般情報としての画像とを、被印刷物に重畳印刷して目視判読防止を図る技術が知られており、特許文献２に記載されている。
【先行技術文献】
【特許文献】
【０００４】
【特許文献１】特許第４３３７５８２号公報
【特許文献２】特開２００２−２０５３８４号公報
【発明の概要】
【発明が解決しようとする課題】
【０００５】
クレジットカードやＩＤカードなどのカードは、秘密情報を印刷した場合、その秘密情報を目視で判読困難とするセキュリティ性を有していることが求められている。
セキュリティ性は、印刷方法によらず、上述の再転写方式の印刷装置よって画像が印刷されたカードに対しても同様に求められる。
【０００６】
そこで、再転写方式の印刷装置においても、赤外光吸収性インク及び可視光吸収性インクを用いて、セキュリティ性を有するカードを得ることが検討される。
【０００７】
再転写方式の印刷では、利用可能なインク種類として、昇華性インクと溶融性インクとがある。
再転写方式を含む熱転写印刷の技術として、一般に、昇華性インクで転写形成した画像の上には、昇華性インクと溶融性インクとのいずれのインク種類のインクによる画像も重畳転写可能である。
一方、溶融性インクで転写形成した画像の上には、昇華性インクで、重畳転写できない。
【０００８】
再転写方式では、例えば、黄，マゼンタ，シアンの各色のインクの画像を重畳して転写画像をカラー化しており、各カラーインクは昇華性インクとされる。
一方、秘密情報を印刷するための赤外光吸収性インクは、溶融性インクが調達容易な状況にある。
従って、昇華性インク及び溶融性インクを重畳転写することにより、セキュリティ性を高めようとする場合、昇華性インク及び溶融性インクの重畳転写する順序に制約がある。
【０００９】
そのため、カラー画像と秘密情報としての画像を重畳形成する場合、中間転写フィルムに、まず三色の昇華性インクを重畳転写して一般情報としてのカラー転写画像を形成する。次に、形成したカラー転写画像の上に、溶融性の赤外光吸収性インク（以下、ＩＲインクとも称する）による秘密情報としての画像を重畳転写することが検討される。
【００１０】
ところが、赤外光吸収性インクの特性は、可視光の波長領域における光吸収度は小さいものの、ゼロではない。そのため、条件によっては、薄い灰色として視認される場合があることが懸念される。
具体的には、一般情報として形成されたカラー転写画像の絵柄や、カードを照らす外光の照射具合によって、赤外光吸収性インクで印刷した秘密情報を目視で判読できてしまう可能性のあることが懸念される。
【００１１】
このような状況において、元来、再転写方式は高品位の画像を印刷できることから、再転写方式の印刷装置によって印刷が付与されて製造されたカードは、赤外光吸収性インクによる秘密情報が、より目視判読されにくい高度のセキュリティ性を有していることが望まれている。
【００１２】
そこで、本発明が解決しようとする課題は、高度のセキュリティ性を有する被転写体が得られる印刷装置及び印刷方法と、高度のセキュリティ性を有するカード及びそのカードを製造するカードの製造方法と、を提供することにある。
【課題を解決するための手段】
【００１３】
上記の課題を解決するために、本発明は次の構成又は手順を有する。
１）  第１のインク種類のインクを被転写体に転写して形成した転写画像の上に、第２のインク種類のインクを重畳して転写する機能を有さない印刷装置であって、
第１の被転写体に前記第２のインク種類のインクを転写してベタ画像である第１の転写画像を形成した後、前記第１の転写画像の上に前記第１のインク種類のインクを転写して前記第１の転写画像に第２の転写画像が重畳した第１の転写画像体を形成するとともに、前記第１の被転写体とは異なる第２の被転写体に前記第２のインク種類のインクを転写して第３の転写画像を形成した後、前記第３の転写画像の上に前記第１のインク種類のインクを転写して前記第３の転写画像にベタ画像である第４の転写画像が重畳した第２の転写画像体を形成する転写部と、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写部と、
を備えることを特徴とする印刷装置である。
２）  第１の被転写体に昇華性インクのインクを転写してベタ画像である第１の転写画像を形成した後、前記第１の転写画像の上に溶融性インクのインクを転写して前記第１の転写画像に第２の転写画像が重畳した第１の転写画像体を形成するとともに、第１の被転写体とは異なる第２の被転写体に昇華性インクのインクを転写して第３の転写画像を形成した後、前記第３の転写画像の上に溶融性インクのインクを転写して前記第３の転写画像にベタ画像である第４の転写画像が重畳した第２の転写画像体を形成する転写部と、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写部と、
を備えることを特徴とする印刷装置である。
３）  第１の被転写体に昇華性インクのインクを転写してベタ画像である第１の転写画像を形成した後、前記第１の転写画像の上に溶融性インクのインクを転写して前記第１の転写画像に第２の転写画像が重畳した第１の転写画像体を形成するとともに、第１の被転写体とは異なる第２の被転写体に昇華性インクのインクを転写して第３の転写画像を形成した後、前記第３の転写画像の上に溶融性インクのインクを転写して前記第３の転写画像にベタ画像である第４の転写画像が重畳した第２の転写画像体を形成する転写ステップと、
前記第１の転写画像体を被再転写体に再転写した後、前記第２の転写画像体を前記被再転写体に再転写することで、前記被再転写体から見て第２の転写画像、第１の転写画像、第４の転写画像、第３の転写画像の順に各前記転写画像を重畳する再転写ステップと、
を備えることを特徴とする印刷方法である。
４）  １）又は２）に記載の印刷装置を用いて、各前記転写画像が重畳された被再転写体であるカードを製造するカードの製造方法である。
５）  カード基体と、
前記カード基体側から、
第１のインク種類のインクにより形成された画像の第１層と、
第２のインク種類のインクにより形成されたベタ画像の第２層と、
第１のインク種類のインクにより形成されたベタ画像の第３層と、
第２のインク種類のインクにより形成された画像の第４層と、
を有し、
前記第２のインク種類のインクは、前記第１のインク種類のインクを被転写体に転写して形成した転写画像の上に重畳して転写することができないインク種類のインクであり、
前記第１層は赤外光線吸収性を有し、前記第２〜４層は可視光線吸収性を有することを特徴とするカードである。
６）  カード基体と、
前記カード基体側から、
溶融性インクのインクにより形成された画像の第１層と、
昇華性インクのインクにより形成されたベタ画像の第２層と、
溶融性インクのインクにより形成されたベタ画像の第３層と、
昇華性インクのインクにより形成された画像の第４層と、
を有し、
前記第１層は赤外光線吸収性を有し、前記第２〜４層は可視光線吸収性を有することを特徴とするカードである。
【発明の効果】
【００１４】
本発明のカードは、高度のセキュリティ性を有する。また、本発明の印刷装置，印刷方法，及びカードの製造方法によれば、高度のセキュリティ性を有するカードが得られる。
【図面の簡単な説明】
【００１５】
【図１】図１は、本発明の実施の形態に係る印刷装置の実施例である印刷装置ＰＲを説明するための図である。
【図２】図２は、印刷装置ＰＲの構成を説明するためのブロック図である。
【図３】図３は、インクフィルム１を説明するための図である。
【図４】図４は、中間転写フィルム２を説明するための図である。
【図５】図５は、インクフィルム１から中間転写フィルム２への転写を説明するための図である。
【図６】図６は、中間転写フィルム２に転写形成された転写画像体ＰＴ１，ＰＴ２を説明するための図である。
【図７】図７は、転写画像体ＰＴ１をカード基体Ｃ１に再転写した状態を説明するための図である。
【図８】図８は、転写画像体ＰＴ２をカード基体Ｃ１側に再転写した状態を説明するための図である。
【図９】図９は、本発明の実施の形態に係るカードの実施例であるカードＣを説明するための模式図である。
【図１０】図１０は、実施例の印刷方法Ａの変形例である印刷方法Ｂで用いるインクフィルム１１を説明するための図である。
【図１１】図１１は、印刷方法Ｂにおいて、中間転写フィルム２に転写形成された転写画像体ＰＴ３を説明するための図である。
【図１２】図１２は、転写画像体ＰＴ３をカード基体Ｃ２に再転写した状態を説明するための図である。
【図１３】図１３は、カードＣの変形例であるカードＣＡを説明するための模式図である。
【発明を実施するための形態】
【００１６】
本発明の実施の形態に係る印刷装置を、実施例の印刷装置ＰＲにより説明する。
【００１７】
(実施例)
印刷装置ＰＲは、異なる色のインク層を面順次に形成した帯状のインクフィルム１と、インクフィルム１の各インク層のインクを転写可能な帯状の中間転写フィルム２と、が装着され、かつ被印刷物であるカード基体Ｃ１が供給されて再転写印刷動作を行うようになっている。
【００１８】
印刷装置ＰＲにおける再転写動作は、インクフィルム１の各インク層のインクを、中間転写フィルム２の転写領域（フレーム２ｆ）（「被転写体」とも称する）に重畳転写して転写画像を形成し、形成した転写画像を、被再転写体であるカード基体Ｃ１に転写（再転写）する動作である。これにより、再転写画像が印刷形成されたカードＣが得られる。カードＣは、いわゆるＩＤカード、クレジットカードなどである。
【００１９】
この転写動作及び再転写動作を含む被再転写体の印刷を行うべく、印刷装置ＰＲは、図１及び図２に示される構成を有する。
【００２０】
図１に示されるように、印刷装置ＰＲは、装着された一対のリールＲ１間に張架されたインクフィルム１を、送り出し及び巻き戻し方向に選択的に搬送可能なインクフィルム搬送部ＨＢ１を有する。
また、印刷装置ＰＲは、装着された一対のリールＲ２間に張架された中間転写フィルム２を、送り出し及び巻き戻し方向に選択的に搬送可能な転写フィルム搬送部ＨＢ２を有する。
また、印刷装置ＰＲは、外部から供給されたカード基体Ｃ１を、図１の左右方向である送り方向及び戻し方向に搬送可能なカード搬送部ＨＣを有する。
【００２１】
図１及び図２に示されるように、インクフィルム搬送部ＨＢ１は、一対のリールＲ１を駆動するモータＭ１ａ，Ｍ１ｂを有する。
転写フィルム搬送部ＨＢ２は、一対のリールＲ２を駆動するモータＭ２ａ，Ｍ２ｂを有する。
カード搬送部ＨＣは、カード基体Ｃ１を搬送するためにカード基体Ｃ１を両面側から挟んで転動する一対の圧着ローラ３，３と、一方の圧着ローラ３を駆動するモータＭ３と、を有する。
【００２２】
印刷装置ＰＲは、全体の動作を制御する制御部６を有する。モータＭ１ａ，Ｍ１ｂ，Ｍ２ａ，Ｍ２ｂ，Ｍ３の動作は、制御部６により制御される。
【００２３】
インクフィルム搬送部ＨＢ１は、インクフィルム１が有するマーカ１ｍ（図３参照）を検出するインクフィルムセンサ７ａを有する。
転写フィルム搬送部は、中間転写フィルム２が有するマーカ２ｍ（図４参照）を検出する転写フィルムセンサ７ｂを有する。
カード搬送部ＨＣは、搬送されるカード基体Ｃ１及びカードＣの所定搬送位置での有無を検出するカードセンサ７ｃを有する。
インクフィルムセンサ７ａ，転写フィルムセンサ７ｂ，カードセンサ７ｃは、例えば、光センサである。
【００２４】
図２に示されるように、制御部６は、インクフィルムセンサ７ａ，転写フィルムセンサ７ｂ，及びカードセンサ７ｃからの検出信号、並びに、各モータＭ１ａ，Ｍ１ｂ，Ｍ２ａ，Ｍ２ｂ，Ｍ３のエンコーダ（図示せず）からの信号に基づいて、インクフィルム１，中間転写フィルム２，及びカードＣ（カード基体Ｃ１を含む）の移動方向、移動量などの動作状況を把握する。
【００２５】
図１において、印刷装置ＰＲは、ローラ４，サーマルヘッド５，及びサーマルヘッド５をローラ４に対し離接移動させる離接駆動部５Ｋを含む転写部ＴＢを有する。
【００２６】
インクフィルム１及び中間転写フィルム２の走行経路は、転写部ＴＢにおいて接近並走するように設定されている。
【００２７】
離接駆動部５Ｋの動作によってサーマルヘッド５は、インクフィルム１及び中間転写フィルム２をローラ４に対し圧接すると共に、インクフィルム１を制御部６から供給された画像信号に基づいて加熱し、インクフィルム１のインクを中間転写フィルム２の転写領域（フレーム２ｆ）へ転写させる。
離接駆動部５Ｋ及びサーマルヘッド５の動作は、制御部６により制御される。
【００２８】
すなわち、転写部ＴＢにおける転写動作は、インクフィルム搬送部ＨＢ１及び転写フィルム搬送部ＨＢ２の動作と協働し、インクフィルム１及び中間転写フィルム２を圧着させたまま所定の搬送方向へ移動させながら、サーマルヘッド５の加熱により転写を行う動作である。
この転写動作により、中間転写フィルム２の転写領域（フレーム２ｆ）に、インクフィルム１のインクが二次元的に転写され、画像信号に基づく所望の転写画像が形成される。
【００２９】
なお、インクフィルム１のインクの種類は、後述するように、昇華性インク及び溶融性インクとされる。
転写部ＴＢは、昇華性インクで転写形成した画像の上には、昇華性インクと溶融性インクとのいずれのインク種類のインクによる画像も重畳転写可能である。
一方、転写部ＴＢは、溶融性インクで転写形成した画像の上には、昇華性インクで重畳転写する機能を有さない。溶融性インクを転写形成した画像の上に、昇華性インクで重畳転写を試みた場合、インクフィルム１と中間転写フィルム２とを圧着した後に離す際、インクフィルム１と中間転写フィルム２とが張り付いてしまい、インクフィルム１や中間転写フィルムが破れるなどの不具合が発生するためである。
すなわち、溶融性インクを第１のインク種類、昇華性インクを第２のインク種類とすると、転写部ＴＢは、第１のインク種類のインクを転写して形成した転写画像の上に、第２のインク種類のインクを重畳して転写する機能を有さないといえる。
【００３０】
印刷装置ＰＲは、ヒートローラ１５、及びヒートローラ１５を搬送経路上のカード基体Ｃ１に対し離接させる離接駆動部１５Ｋを含む再転写部ＴＢ２を有する。
【００３１】
再転写部ＴＢ２において、ヒートローラ１５は、離接駆動部１５Ｋの動作により、カード基体Ｃ１に対し中間転写フィルム２を圧着し加熱する。
この圧着加熱と同時に、カード基体Ｃ１と中間転写フィルム２とを、所定の搬送方向へ移動させることで、転写部ＴＢの転写動作で中間転写フィルム２の転写領域（フレーム２ｆ）に形成された転写画像が、剥離層２ｂ（後述）で分離してカード基体Ｃ１に再度転写（再転写）される。
カード基体Ｃ１は、再転写画像が形成されてカードＣとなる。
【００３２】
次にインクフィルム１について説明する。図３（ａ）は、インクフィルム１の平面図であり、図３（ｂ）は側面図である。
【００３３】
インクフィルム１は、帯状の基材フィルム１ａと、その一面に形成されたインク層１ｂと、を有する。
インク層１ｂは、特性の異なる８つのインク層が面順次で形成されたインク組１ｐが、帯方向（インクフィルム１の長く延びている方向）に繰り返し設けられている。
【００３４】
隣接するインク層の境界には、光非透過性の部分としてマーカ１ｍが形成されている。各インク層の帯方向長さは、所定の長さで一定とされている。
【００３５】
インク組１ｐは、順番に、黄のインク層であるＹインク層１Ｙａ，マゼンタのインク層であるＭインク層１Ｍａ，シアンのインク層であるＣインク層１Ｃａ，赤外光吸収性インクのインク層であるＩＲインク層１ｉＲ，二つ目のＹインク層１Ｙｂ，二つ目のＭインク層１Ｍｂ，二つ目のＣインク層１Ｃｂ，白のインク層であるＷインク層１Ｗとされている。
【００３６】
Ｙインク層１Ｙａ，１ＹｂとＭインク層１Ｍａ，１ＭｂとＣインク層１Ｃａ，１Ｃｂとは、昇華性インク層である。ＩＲインク層１ｉＲ及びＷインク層１Ｗは、溶融性インク層である。
【００３７】
Ｗインク層１Ｗに用いる溶融性の白色インクは、可視光の吸収性が十分高いインク（いわゆる隠蔽性の高いインク）を用いる。
【００３８】
次に中間転写フィルム２について説明する。図４は、中間転写フィルム２を説明するための図である。図４（ａ）は、中間転写フィルム２の平面図であり、図４（ｂ）は側面図である。
【００３９】
中間転写フィルム２は、帯状の基部２ａと、基部２ａの一面に積層された剥離層２ｂと、剥離層２ｂに保護層２ｄを介して積層されたインク受容層２ｃと、を有する。
インク受容層２ｃは、昇華性インクを受容する層である。インク受容層２ｃは、光非透過性の領域としての複数のマーカ２ｍによって、所定の帯方向長さで区切られている。
【００４０】
インク受容層２ｃにおいてマーカ２ｍによって区切られた帯方向に並ぶ複数の領域を、フレーム２ｆと称する。また、インク受容層２ｃにおいてマーカ２ｍによって区切られた帯方向に並ぶ各領域それぞれを、被転写体とも称する。
フレーム２ｆの所定の帯方向長さは、インクフィルム１の各インク層の帯方向長さと一致している。
【００４１】
制御部６は、インクフィルム搬送部ＨＢ１及び転写フィルム搬送部ＨＢ２を動作させて、インクフィルム１及び中間転写フィルム２を、それぞれ独立的に送り出し及び巻き戻しのいずれかの方向に搬送し、所望のインク層と所望のフレームとの頭出しを行う。
【００４２】
これにより、印刷装置ＰＲは、インクフィルム１における任意のインク層のインクを中間転写フィルム２の任意のフレーム２ｆに転写し、その後、転写したフレーム２ｆに対し、インクフィルム１における別のインク層のインクを重畳して転写できる。
【００４３】
印刷装置ＰＲには、ユーザによって上述のインクフィルム１及び中間転写フィルム２が装着される。そして、ユーザ側で設定した絵柄とされる一般画像と秘密情報を含む画像とを、次に説明する印刷方法Ａによってカード基体Ｃ１に形成しカードＣとする。なお、制御部６は、前記の一般画像に係るデータ及び秘密情報を含む画像に係るデータを図示しない入力部を介して入力し、当該データに基づき転写部ＴＢ等を制御する。なお、この入力部は、ＵＳＢメモリやネットワーク通信を介して、印刷装置ＰＲの外部から画像を示すデータを入力する。
以下の説明において、秘密情報は、文字列「ＪＶ」である。
【００４４】
印刷方法Ａは、印刷装置ＰＲによって、中間転写フィルム２のフレーム２ｆの内の、二つのフレームであるフレーム２ｆＡとフレーム２ｆＢとに、それぞれ重畳転写によって転写画像体ＰＴ１と転写画像体ＰＴ２とが形成される。
次いで、転写画像体ＰＴ１と転写画像体ＰＴ２とを、カード基体Ｃ１に重畳再転写し、カード基体Ｃ１にカード画像ＰＦ１が形成されたカードＣが得られる。
印刷方法Ａにおいて、二つのフレーム２ｆＡ，２ｆＢが隣接したフレームであると、中間転写フィルム２の搬送距離が短くなるので好ましい。
【００４５】
次に、印刷方法Ａの詳細を、図５〜図９を参照して説明する。
【００４６】
（手順Ａ１）
図５及び図６に示されるように、制御部６は、インクフィルム１におけるＹインク層１Ｙａ，Ｍインク層１Ｍａ，及びＣインク層１Ｃａのインクを、それぞれ最高濃度のベタ画像とし、中間転写フィルム２の第１の領域としてのフレーム２ｆＡに、例えばこの順で重畳転写する。
【００４７】
すなわち、Ｙインク層１Ｙａのインクによる画像ＰＹａと、Ｍインク層１Ｍａのインクによる画像ＰＭａと、Ｃインク層１Ｃａのインクによる画像ＰＣａとを、それぞれ最高濃度のベタ画像で、フレーム２ｆＡに重畳転写する。
これにより、各色のインクはフレーム２ｆＡのインク受容層２ｃに受容され、画像ＰＹａ，画像ＰＭａ，及び画像ＰＣａが重畳した転写画像ＰＢが形成される。
これは、転写部ＴＢが、昇華性インクである複数の色のインクを重畳して転写することにより、転写画像ＰＢを形成したともいえる。
また、黄、マゼンタ、シアンの各色のインクが最高濃度で重畳転写されることで、転写画像ＰＢは、全面黒色に視認される画像として形成される。
【００４８】
（手順Ａ２）
次に、制御部６は、秘密情報「ＪＶ」を、転写画像ＰｉＲとして、ＩＲインク層１ｉＲのインクによって転写画像ＰＢの上に重畳転写する。重畳転写した転写画像ＰｉＲは、秘密情報「ＪＶ」を左右反転させたものである。
【００４９】
転写画像ＰＢは昇華性インクによる画像であるから、溶融性インクのＩＲインク層１ｉＲのインクによる転写画像ＰｉＲは、転写画像ＰＢの上に重畳転写可能である。
【００５０】
このように（手順Ａ１）及び（手順Ａ２）を行うことで、図６に示されるように、インク受容層２ｃのフレーム２ｆＡに転写画像ＰＢが形成され、その上に転写画像ＰｉＲが重畳転写される。
転写画像ＰＢと、その上に形成した転写画像ＰｉＲと、を併せて、転写画像体ＰＴ１と称する。
【００５１】
（手順Ａ３）
制御部６は、Ｙインク層１Ｙｂ、Ｍインク層１Ｍｂ、及びＣインク層１Ｃｂのインクを、中間転写フィルム２のフレーム２ｆＢに、ユーザ側から指定された画像の左右反転画像となるよう重畳転写する。転写順は限定されないが、インクフィルム１に形成された順であるとインクフィルム１の移動量が少なくて済むので動作効率上好ましい。
すなわち、この例では、Ｙインク層１Ｙｂのインクによる画像ＰＹｂと、Ｍインク層１Ｍｂのインクによる画像ＰＭｂと、Ｃインク層１Ｃｂのインクによる画像ＰＣｂとを、第２の領域としてのフレーム２ｆＢにこの順で重畳転写する。
【００５２】
この重畳転写によって、各色のインクは、フレーム２ｆＢのインク受容層２ｃに受容され、画像ＰＹｂ，画像ＰＭｂ，及び画像ＰＣｂが重畳したユーザ指定の転写画像ＰＣＲが形成される。
これは、転写部ＴＢが、昇華性インクである複数の色のインクを重畳して転写することにより、転写画像ＰＣＲを形成したともいえる。
転写画像ＰＣＲは、黄、マゼンタ、シアンの各色のインクが、ユーザ指定の画像に対応した濃度及びパターンで重畳されることで、モノクロ又はカラーの画像として形成される。
【００５３】
（手順Ａ４）
次に、制御部６は、Ｗインク層１Ｗのインクを、最高濃度による白ベタの転写画像ＰＷとして転写画像ＰＣＲの上に重畳転写する。
転写画像ＰＣＲは昇華性インクによる画像であるから、溶融性インクのＷインク層１Ｗのインクによる画像は重畳転写可能である。
【００５４】
このように（手順Ａ３）及び（手順Ａ４）を行うことで、図６に示されるように、インク受容層２ｃのフレーム２ｆＢに、まず転写画像ＰＣＲが形成され、その上に白ベタの転写画像ＰＷが重畳転写される。
転写画像ＰＣＲと、その上に形成した転写画像ＰＷと、を併せて、転写画像体ＰＴ２と称する。
【００５５】
（手順Ａ１）〜（手順Ａ４）によってフレーム２ｆＡへの転写画像体ＰＴ１の形成及びフレーム２ｆＢへの転写画像体ＰＴ２の形成が完了したら、制御部６は、再転写部ＴＢ２において、カード基体Ｃ１への再転写を次のように実行する。
【００５６】
（手順Ａ５）
制御部６は、図７に示されるように、中間転写フィルム２のフレーム２ｆＡに形成した転写画像体ＰＴ１を、カード基体Ｃ１の一面である画像形成面Ｃ１ｓに再転写する。再転写された転写画像体ＰＴ１は、再転写画像体ＰＴ１Ｓ（第１転写層と称する）として形成される。
転写画像体ＰＴ１の再転写は、剥離層２ｂに対して保護層２ｄ及びインク受容層２ｃが分離することで行われる。
再転写画像体ＰＴ１Ｓは、画像形成面Ｃ１ｓ側から秘密情報としての転写画像ＰｉＲ、黒色の転写画像ＰＢの順で層状となっている。また、表面には保護層２ｄが付着している。
【００５７】
（手順Ａ６）
再転写画像体ＰＴ１Ｓを形成したら、制御部６は、図８に示されるように、再転写画像体ＰＴ１Ｓの上に、フレーム２ｆＢに形成した転写画像体ＰＴ２を、再転写する。再転写された転写画像体ＰＴ２は、転写画像体ＰＴ１の上に、保護層２ｄを介し再転写画像体ＰＴ２Ｓ（第２転写層と称する）として形成される。
再転写画像体ＰＴ２Ｓは、再転写画像体ＰＴ１Ｓ側から転写画像ＰＷ、ユーザ画像である転写画像ＰＣＲの順で層状となっている。
【００５８】
図９はカードＣの模式的断面図である。図９に示されるように、上述の（手順Ａ１）〜（手順Ａ６）によって、カード基体Ｃ１の画像形成面Ｃ１ｓに、秘密情報を含む転写画像による四つの層のカード画像ＰＦ１が形成されたカードＣが得られる。図９では、保護層２ｄは不図示としてある。
【００５９】
カードＣの画像形成面Ｃ１ｓに再転写で形成されたカード画像ＰＦ１の四つの層は、次のとおりである。
すなわち、カード基体Ｃ１の白色の画像形成面Ｃ１ｓ側から、溶融性インクである赤外光吸収性インク（ＩＲインク）による秘密情報を含む転写画像ＰｉＲの第１層、昇華性インクによる全面黒色なる転写画像ＰＢの第２層、溶融性インクによる全面白色なる転写画像ＰＷの第３層、昇華性インクによるカラー（モノクロを含む）のユーザ画像である転写画像ＰＣＲの第４層、である。
【００６０】
なお、上記のように、画像形成面Ｃ１ｓ側から見て、溶融性インクによる第１層、昇華性インクによる第２層、溶融性インクによる第３層、昇華性インクによる第４層の順となるように、１つのフレーム２ｆＡのみを使用して印刷しようとした場合、転写部ＴＢは、１つのフレーム２ｆＡに対し、画像形成面Ｃ１ｓ側から見た上記各層の逆順である、（１）昇華性インク、（２）溶融性インク、（３）昇華性インク、（４）溶融性インクの順に、転写動作を行う必要がある。
しかし、上述した通り、転写部ＴＢは、溶融性インクで転写した画像の上には、昇華性インクで重畳転写できないため、上記の（３）昇華性インクの転写動作を行えない。
従って、転写部ＴＢは上記の順での転写動作を行うことができず、カード基体Ｃ１に上記のような順の層を形成することができない。
【００６１】
カードＣのカード画像ＰＦ１において、仮に第１層の秘密情報である転写画像ＰｉＲを目視しようとした場合、カードＣを図９の上方から、可視光の隠蔽性（可視光の吸収性）の高い、第２層の全面黒色層及び第３層の全面白色層を通して見ることになる。
【００６２】
すなわち、赤外光吸収性インクによる転写画像ＰｉＲが、単層の場合に薄い灰色として目視判読可能であっても、カードＣでは、可視光での隠蔽性の高い全面黒色層と全面白色層との二つの層を通して見ることになる。
そのため、秘密情報は、目視判読が実質的に不可能となる。
【００６３】
また、既述のように、赤外光吸収性インクの転写画像ＰｉＲは、視認可能な場合、薄い灰色を呈する。そのため、通常は、より隠蔽性の高い溶融性インクの、第３層の全面白色層で効果的に隠蔽される。
また、転写画像ＰｉＲが、薄い灰色の範囲内の濃い目である場合は、第２層の全面黒色層で効果的に隠蔽される。
【００６４】
また、カードＣは、ユーザ画像である第４層が、白色の第３層の上に形成されている。これにより、ユーザ画像を、高い明度及び彩度で視認され得るものにでき、カードＣは高品位となる。
また、本実施例の印刷装置ＰＲによれば、ユーザ側で設定した絵柄とされる一般画像は第４層として、白色の第３層の上に形成されることになるため、この一般画像は、白色の上に重畳されることを前提として、ユーザ側で作成されたものであることが好ましい。
なお、被再転写体であるカード基体Ｃ１の画像形成面Ｃ１ｓは、一般に白色であることが多いため、被再転写体に印刷されるユーザ画像も、一般に背景が白色であることを前提として作成されることが多い。従って、本実施例のプリンタによって秘密情報を印刷するに際しても、一般の背景が白色であることを前提として作成されたユーザ画像を利用することができる。
【００６５】
このように、カードＣは、カード画像ＰＦ１の秘密情報を目視判読しようとした場合、全面黒色層と全面白色層との黒白二つの層を通して見ることになる。
そのため、転写画像ＰｉＲの色が、グレースケール上のどの濃さであっても、その濃さにかかわらず、黒白二つの層で良好に隠蔽され、目視判読が不可能となる。従って、カードＣは、高度のセキュリティ性を有する。
【００６６】
以上詳述したように、カード基体Ｃ１にカード画像ＰＦ１が形成されたカードＣは、高度のセキュリティ性を有する。また、印刷装置ＰＲは、カード基体Ｃ１に対し、カード画像ＰＦ１を形成して、高度のセキュリティ性を有するカードＣを製造することができる。
【００６７】
本発明の実施例は、上述した構成及び手順に限定されるものではなく、本発明の要旨を逸脱しない範囲において変形例としてもよい。
【００６８】
上述の実施例の印刷方法は、中間転写フィルム２の二つのフレームを利用し、カード基体Ｃ１に対し二回の再転写を行う方法である。
この二回の再転写の代わりに、中間転写フィルム２の一つのフレームを利用すると共に、カード基体Ｃ１に対する一回の再転写によってカード画像ＰＦ２を有するカードＣＡを得る方法に変形してもよい。この変形例について説明する。
【００６９】
（変形例）
変形例では、インクフィルム１に対しインク組の構成が異なるインクフィルム１１を用いる。また、カード基体Ｃ１に対し画像形成面の色が異なるカード基体Ｃ２を用いる。
印刷装置ＰＲ及び中間転写フィルム２は実施例と共通である。
【００７０】
まず、インクフィルム１１について、図１０を参照して説明する。
【００７１】
インクフィルム１１は、帯状の基材フィルム１１ａと、その一面に形成されたインク層１１ｂと、を有する。
インク層１１ｂは、特性の異なる５つのインク層を面順次に形成したインク組１１ｐが、帯方向（インクフィルム１１の長く延びている方向）に繰り返し設けられている。
【００７２】
インク組１１ｐは、順番に、黄のインク層であるＹインク層１１Ｙ，マゼンタのインク層であるＭインク層１１Ｍ，シアンのインク層であるＣインク層１１Ｃ，白のインク層であるＷインク層１１Ｗ，及び赤外光吸収性インク層であるＩＲインク層１１ｉＲ層とされている。
【００７３】
Ｙインク層１１Ｙと、Ｍインク層１１Ｍと、Ｃインク層１１Ｃは、昇華性インクのインク層である。Ｗインク層１１Ｗ及びＩＲインク層１１ｉＲは溶融性インクのインク層である。
【００７４】
カード基体Ｃ２は、画像形成面Ｃ２ｓの色を、予め印刷などを行って黒色としてある。もちろん、カード基体Ｃ２自体を黒色の樹脂で形成してもよい。Ｗインクの隠蔽性が充分に高い場合は、画像形成面Ｃ２ｓの色を薄い灰色から白色で形成してもよい。
以下の説明では、図１２に示されるように、カード基体Ｃ２は、カード基体Ｃ１の一面に予め黒色処理層Ｃ１ａを形成したものとする。すなわち、カード基体Ｃ２の画像形成面Ｃ２ｓが黒色となっている。
【００７５】
印刷装置ＰＲは、ユーザによって上述のインクフィルム１１及び中間転写フィルム２が装着された状態で、ユーザ側で設定した絵柄の一般画像と秘密情報の画像とを、次の印刷方法Ｂにより、カード基体Ｃ２に形成して、カードＣＡを製造する。
【００７６】
印刷方法Ｂでは、概略、印刷装置ＰＲによって、中間転写フィルム２のフレーム２ｆの内の、一つのフレームであるフレーム２ｆＣに、重畳転写によって転写画像体ＰＴ３を形成する。
次いで、転写画像体ＰＴ３をカード基体Ｃ２に再転写して、カード基体Ｃ２にカード画像ＰＦ２を形成してなるカードＣＡが得られる。
【００７７】
印刷方法Ｂの詳細を、図１１〜図１３を参照して説明する。
【００７８】
（手順Ｂ１）
制御部６は、インクフィルム１１におけるＹインク層１１Ｙ，Ｍインク層１１Ｍ，及びＣインク層１Ｃのインクを、中間転写フィルム２のフレーム２ｆＣに、ユーザ側から指定された画像の左右反転画像となるよう重畳転写する。これにより、図１１に示されるように、中間転写フィルム２におけるインク受容層２ｃのフレーム２ｆＣに、転写画像ＰＣＲ２が、所望の絵柄の左右反転像及び所望の色（モノクロ又はカラー）で形成される。
【００７９】
重畳転写における転写順は限定されないが、インクフィルム１１に形成された順であるとインクフィルム１１の移動量が少なくて済むので動作効率上好ましい。
【００８０】
（手順Ｂ２）
制御部６は、インクフィルム１１におけるＷインク層１１Ｗのインクを、転写画像ＰＣＲ２が形成されたインク受容層２ｃの上に重畳転写して転写画像ＰＷ２を形成する。転写画像ＰＷ２は、最高濃度で転写したベタ白となる。
【００８１】
（手順Ｂ３）
制御部６は、インクフィルム１１におけるＩＲインク層１１ｉＲのインクにより、秘密情報を含む画像を転写画像ＰＷ２の上に重畳転写して、転写画像ＰｉＲ２を形成する。
【００８２】
このように、（手順Ｂ１）〜（手順Ｂ３）を行うことで、インク受容層２ｃのフレーム２ｆＣに転写画像ＰＣＲ２が形成され、その上に白ベタの転写画像ＰＷ２が重畳転写され、転写画像ＰＷ２の上に秘密情報を含む転写画像ＰｉＲ２が重畳転写される。
【００８３】
転写画像ＰＣＲ２，転写画像ＰＷ２，及び転写画像ＰｉＲ２を併せて、転写画像体ＰＴ３と称する。
【００８４】
フレーム２ｆＣに転写画像体ＰＴ３を形成したら、制御部６は、再転写部ＴＢ２において、カード基体Ｃ２への再転写を次のように実行する。
【００８５】
（手順Ｂ４）
制御部６は、図１２に示されるように、中間転写フィルム２のフレーム２ｆＣに形成した転写画像体ＰＴ３を、カード基体Ｃ２の一面である画像形成面Ｃ２ｓに再転写し、再転写画像体ＰＴ３Ｓを形成する。
再転写画像体ＰＴ３Ｓは、画像形成面Ｃ２ｓ側から、秘密情報としての転写画像ＰｉＲ２、白ベタの転写画像ＰＷ２、及びユーザ画像である転写画像ＰＣＲ２の順に層状となる。
【００８６】
上述の（手順Ｂ１）〜（手順Ｂ４）によって、カードＣＡの模式的断面図である図１３に示されるように、カード基体Ｃ２の黒色の画像形成面Ｃ２ｓに、転写画像による三つの層を有する再転写画像体ＰＴ３Ｓが形成されたカードＣＡが得られる。
【００８７】
以下の説明において、カードＣＡにおける再転写画像体ＰＴ３Ｓは、カードＣにおけるカード画像ＰＦ１との対応付けのため、カード画像ＰＦ２とも称する。
【００８８】
カード基体Ｃ２の画像形成面Ｃ２ｓに再転写で形成されたカード画像ＰＦ２の三つの層は、次のとおりである。
すなわち、カード基体Ｃ２の黒色の画像形成面Ｃ２ｓ側から、溶融性インクである赤外光吸収性インク（ＩＲインク）による秘密情報を含む転写画像ＰｉＲ２の第１層、溶融性インクによる全面白色の転写画像ＰＷ２である第２層、昇華性インクによるカラー（モノクロ含む）のユーザ画像である転写画像ＰＣＲ２の第３層、である。
【００８９】
カードＣＡのカード画像ＰＦ２において、仮に第１層の秘密情報を含む転写画像ＰｉＲ２を目視しようとした場合、カードＣＡを図１３の上方から、可視光の隠蔽性の高い第２層の全面白色層を通して見ることになる。
すなわち、赤外光吸収性インクによる転写画像ＰｉＲ２が、単層の場合に薄い灰色として目視判読可能であっても、カードＣでは隠蔽性の高い全面白色層を通してみることになる。
そのため、秘密情報は、目視判読が困難となる。
【００９０】
また、カードＣＡでは、秘密情報を含む転写画像ＰｉＲ２の下地色が黒色とされている。これにより、転写画像ＰｉＲ２がやや濃い目であった場合、下地の黒色との色の差が小さくなって、目視による下地との違いが判別しにくくなる。
従って、秘密情報がより効果的に隠蔽される。
【００９１】
また、カードＣＡは、ユーザ画像である第３層が、白色の第２層の上に形成されている。これにより、ユーザ画像を、高い明度及び彩度で視認され得るものにでき、カードＣＡは高品位となる。
【００９２】
変形例は、実施例に対し、少ない転写回数及び少ない再転写回数で、隠蔽性が高い、高度のセキュリティ性を有するカードＣＡを製造することができる。
従って、変形例は、実施例と比較して原材料コスト及びランニングコストをより抑制したい場合に好適である。
【００９３】
実施例及び変形例において、用いる赤外光吸収性インクの目視色である灰色が、より薄い（白っぽい）場合には、その薄さの程度に応じて、実施例の転写画像ＰＢの黒色及び変形例の黒色処理層Ｃ１ａの黒色を、真黒ではなく白色側に少し寄った灰色（灰黒色）として調整設定するとよい。従って、転写画像ＰＢは、黒色側転写画像とも称する。
これにより、赤外光吸収性インクの目視色と、転写画像ＰＢの目視色及び黒色処理層Ｃ１ａの目視色との色差が小さくなり、隠蔽性が高くなる。
【００９４】
また、用いる赤外光吸収性インクの目視色である灰色が、より濃い（黒っぽい）場合には、その濃さの程度に応じて、実施例の転写画像ＰＷの白色、及び変形例の転写画像ＰＷ２の白色を、純白ではなく黒色側に少し寄った灰色（灰白色）として調整設定するとよい。従って、転写画像ＰＷは、白色側転写画像と称する。
これにより、赤外光吸収性インクの目視色と、転写画像ＰＷの目視色及び転写画像ＰＷ２の目視色との色差が小さくなり、隠蔽性が高くなる。
【００９５】
これらの調整設定を行えば、赤外光吸収性インクの目視灰色の濃淡によらず、良好な隠蔽効果が発揮されて高いセキュリティ性が安定的に得られる。
【００９６】
実施例において、再転写を実行する時期（タイミング）を、説明の便宜上、中間転写フィルム２の二つのフレーム２ｆＡ，２ｆＢそれぞれに転写画像体ＰＴ１，ＰＴ２を形成した後、と説明した。再転写を実行する時期は、もちろんこれに限定されるものではない。
【００９７】
具体的には、中間転写フィルム２の一つ目のフレーム２ｆＡに転写画像体ＰＴ１を形成したら、カード基体Ｃ１に転写画像体ＰＴ１を再転写し、その後、二つ目のフレーム２ｆＢに転写画像体ＰＴ２を形成し、その後、転写画像体ＰＴ２をカード基体Ｃ１側に再転写してもよい。
【００９８】
また、複数枚のカードＣを製造する場合は、任意枚数のカード基体Ｃ１に対し再転写する転写画像体を、連続して中間転写フィルム２形成しておき、その後、カード基体Ｃ１に再転写する動作を連続して実行してもよい。
【００９９】
図９に示される、実施例で製造したカードＣの第２層（昇華性インクによる黒色層）及び第３層（溶融性インクによる白色層）は、カード基体Ｃ１の全面を覆うものでなくてよい。少なくとも、第１層（溶融性の赤外光吸収性インクによる画像層）の秘密情報が再転写印刷されている範囲を覆うものであればよい。
【０１００】
制御部６を、印刷装置ＰＲに備えられているものとして説明したが、これに限定されるものではない。制御部６を外部に設置し、印刷装置ＰＲとの間を有線又は無線で接続するようにしてもよい。
【０１０１】
被再転写体は、カードに限定されない。被再転写体は、紙、樹脂シートなどであってもよい。また、被再転写体は、帯状のフィルムなどにおいて領域を分けることにより複数構成されてもよい。
【０１０２】
尚、実施例では、被転写体は、１つの物体である中間転写フィルム２において領域を分けることにより複数構成されているが、このような構成に限定されない。各被転写体が１つの物体で構成されるようにしてもよい。
【符号の説明】
【０１０３】
１,１１インクフィルム
１ａ，１１ａ  基材フィルム、    １ｂ，１１ｂ  インク層
１ｍ  マーカ、    １ｐ，１１ｐ  インク組
１Ｙａ，１Ｙｂ，１１Ｙ  Ｙインク層
１Ｍａ，１Ｍｂ，１１Ｍ  Ｍインク層
１Ｃａ，１Ｃｂ，１１Ｃ  Ｃインク層
１ｉＲ，１１ｉＲ  ＩＲインク層、    １Ｗ，１１Ｗ  Ｗインク層
２  中間転写フィルム
２ａ  基部、    ２ｂ  剥離層、    ２ｃ  インク受容層
２ｆ，２ｆＡ，２ｆＢ，２ｆＣ  フレーム、    ２ｍ  マーカ
３  圧着ローラ、    ４  ローラ
５  サーマルヘッド、    ５Ｋ  離接駆動部
６  制御部
７ａ  インクフィルムセンサ、    ７ｂ  転写フィルムセンサ
７ｃ  カードセンサ
Ｃ，ＣＡ  カード、    Ｃ１，Ｃ２  カード基体
Ｃ１ａ  黒色処理層、    Ｃ１ｓ，Ｃ２ｓ  画像形成面
ＨＢ１  インクフィルム搬送部、    ＨＢ２  転写フィルム搬送部
ＨＣ  カード搬送部
Ｍ１ａ，Ｍ１ｂ，Ｍ２ａ，Ｍ２ｂ，Ｍ３  モータ
ＰＢ，ＰｉＲ，ＰＣＲ，ＰＷ，ＰＣＲ２，ＰＷ２，ＰｉＲ２  転写画像
ＰＦ１，ＰＦ２  カード画像、    ＰＲ  （再転写方式の）印刷装置
ＰＴ１，ＰＴ２，ＰＴ３  転写画像体
ＰＴ１Ｓ，ＰＴ２Ｓ，ＰＴ３Ｓ  再転写画像体
ＰＹａ，ＰＹｂ，ＰＭａ，ＰＭｂ，ＰＣａ．ＰＣｂ  画像
Ｒ１，Ｒ２  リール
ＴＢ  転写部、    ＴＢ２  再転写部
【図１】
0006700888.tif 000002
【図２】
0006700888.tif 000003
【図３】
0006700888.tif 000004
【図４】
0006700888.tif 000005
【図５】
0006700888.tif 000006
【図６】
0006700888.tif 000007
【図７】
0006700888.tif 000008
【図８】
0006700888.tif 000009
【図９】
0006700888.tif 000010
【図１０】
0006700888.tif 000011
【図１１】
0006700888.tif 000012
【図１２】
0006700888.tif 000013
【図１３】
0006700888.tif 000014